(57)【要約】  【課題】  室外空気を導入しているとき、室内空気の流入を抑制することができる空気調和機を提供することを目的とする。  【解決手段】  上部に室内空気の吸込口４ｂを備え、背面に室外空気の吸込口６を有する空気調和機の筐体１内に室内空気と室外空気の吸込量の割合を調節する吸込量調節手段を設ける。吸込量調節手段は室内空気の吸込口４ｂと室外空気の吸込口６とに対峙した可動体１１と、同可動体１１を駆動する駆動手段１２と、可動体１１を案内するガイド部１３とからなり、駆動手段１２は例えば可動体１１に動力を伝達するための歯車を備えたステッピングモータからなり、可動体１１が吸込口６から離れると吸込口４ｂから流入する室内空気の吸込量が減少する。【選択図】図１
2006090595.tif 000002
【特許請求の範囲】
【請求項１】
室内空気の吸込口と、室外空気の吸込口と、室内への吹出口とを備え、内部に熱交換器と送風機とを設けてなる筐体内に、前記室内空気と前記室外空気の吸込量の割合を調節する単一の吸込量調節手段を設けてなることを特徴とする空気調和機。
【請求項２】
前記吸込量調節手段が、前記室内空気の吸込口と前記室外空気の吸込口とに対峙した可動体と、同可動体を駆動する駆動手段とからなることを特徴とする請求項１記載の空気調和機。
【発明の詳細な説明】
【技術分野】
【０００１】
本発明は空気調和機に係わり、詳しくは、室内空気と室外空気の吸込量の調節を可能とする吸込量調節手段を備えた室内機の構造に関する。
【背景技術】
【０００２】
空気調和機においては、室内への外気の導入を可能にしたものがある。                図４はその一例を示したもので、図において、１は室内空気の吸込口４と室内への空気吹出口５とを備えたフロントパネル３と、換気口１１を設けた背面パネル２とからなる室内機本体で、同本体１の内部に熱交換器６と送風機７を配設するとともに、換気口１１に対して、ステッピングモータ１２で駆動される換気ダンパ９を設けた構成にして、外気を導入するときに換気ダンパ９を開き、外気を遮断するときに換気ダンパ９を閉じるようにしたもの（例えば、特許文献１参照）がある。
【０００３】
【特許文献１】特開平８ー８６４６４号公報（第２頁、図１）
【発明の開示】
【発明が解決しようとする課題】
【０００４】
しかしながら、上記構成のものでは、外気が導入されているときでも室内空気の吸込口４は開放されたままであるため、室内空気の吸込量を調節することは出来ず、換気ダンパ９が頻繁に開閉されるようなときには吹出空気の風量が安定せず、また、季節によっては吹出空気の温度に変動が生じ易く、換気ダンパ９の開閉頻度が高まれば同ダンパ９の寿命にも悪影響を及ぼすなどの欠点がある。なお、室内空気の吸込口４に別途開閉手段を設けたりすれば構成が複雑になるだけでなく高価な室内機となってしまう。
したがって、本発明においては上記問題点に鑑み、室内空気と室外空気の吸込量の調節がより簡単に行われるようにした空気調和機を提供することを目的としている。
【課題を解決するための手段】
【０００５】
本発明は上記の課題を解決するためになされたものであり、室内空気の吸込口と、室外空気の吸込口と、室内への吹出口とを備えるとともに、内部に熱交換器と送風機とを設けた空気調和機の筐体内に室内空気と室外空気の吸込量の割合を調節する吸込量調節手段を設けてなる構成とする。
【０００６】
なお、前記吸込量調節手段が、前記室内空気の吸込口と前記室外空気の吸込口とに対峙した可動体と、同可動体を駆動する駆動手段とからなる構成とする。
【発明の効果】
【０００７】
本発明の構成からなる空気調和機であれば、その筐体内に、室内空気の吸込口と室外空気の吸込口とに対峙した可動体と、同可動体を駆動する駆動手段とからなる室内空気と室外空気の吸込量調節手段を設けたことにより、室外空気が導入されるとき、その風量に応じて室内空気の吸込量が抑制され、室内への吹出空気量の安定化が図れ、快適な空調が行えることになる。
【発明を実施するための最良の形態】
【０００８】
以下、本発明の実施の形態を、添付図面に基づいて説明する。
【実施例１】
【０００９】
図１は第１の実施の形態を示す空気調和機（室内機）の側断面図で、図において、１はフロントパネル２と、背面パネル３とからなる室内機の筐体である。同筐体１の上部には室内空気の吸込口４ａ、４ｂが形成され、下部には室内への吹出口５が設けられ、背面パネル３には室外空気の吸込口６が開口され、筒状の弾性部材６ａが装着されている。
【００１０】
吸込口４ａ、４ｂおよび６と吹出口５間の空気通路７にはエアーフィルタ８と、９ａ、９ｂ、９ｃからなる熱交換器９と、送風機１０が配設されるとともに、室内空気と室外空気の吸込量の割合を調節するための吸込量調節手段が設けられている。
【００１１】
この吸込量調節手段は熱交換器９ｃ上方の空隙に位置し、室内空気の吸込口４ｂと室外空気の吸込口６とに対峙した可動体１１と、同可動体１１を駆動する駆動手段１２と、可動体１１を支持案内するガイド部１３とからなり、駆動手段１２には可動体１１に動力を伝達するための歯車を備えたステッピングモータが利用されている。
【００１２】
図２は可動体１１の一例を示したもので、鋸状歯１１ａを有する上面部１１ｂと室外空気の吸込口６に対峙する背面部１１ｃとからなり、この背面部１１ｃで室外空気の吸込口６を開閉し、室外空気が導入されるとき上面部１１ｂで吸込口４ｂから筐体１内に入る室内空気を抑制するようになっている。
【実施例２】
【００１３】
図３は第２の実施の形態を示したもので、前者との違いは室内空気と室外空気の吸込量をより細かく調節できるようにしたものである。ここで使用されている可動体１１Ａは弾性を有するもので形成され、一方を室外空気の吸込口６に近接（抵触）させ、他方を吸込口４ｂに近接させた状態で配設し、駆動手段（歯車）１２が反時計方向に回動すると可動体１１Ａが破線で示す方向に移動して吸込口６が開き、吸込口４ｂからの吸い込みを抑制するようになっているので、室外空気と室内空気の吸込量をより細かく調節できる。
【００１４】
なお、以上説明した二つの実施例において、屋外と吸込口６（筒状の弾性部材６ａ）との間には換気ダクト（図示省略）が用いられ、従来はこの換気ダクトに送風機を設けて室内への外気の吸込量を調節するようになっていたが、本発明においては換気ダクトへの送風機の設置を止め、筐体１内の送風機（クロスフローファン）１０だけで室内空気と室外空気の吸込みを行い、かつ、室内空気と室外空気の吸込量のバランスを調節するには吸込口４ｂと吸込口６の面積を変える必要があり、図１、図３に示すような吸込量調節手段を用いた室内機となった。
【図面の簡単な説明】
【００１５】
【図１】本発明の第１の実施の形態を示す空気調和機の側断面図である。
【図２】本発明による吸込量調節手段を形成する移動体の一例を示す斜視図である。
【図３】本発明の第２の実施の形態を示す空気調和機の側断面図である。
【図４】従来例を示す空気調和機の側断面図である。
【符号の説明】
【００１６】
１  筐体
２  フロントパネル
３  背面パネル
４ａ、４ｂ  室内空気の吸込口
６  室外空気の吸込口
６ａ  筒状の弾性部材
１１  可動体
１１ａ  鋸状歯
１１ｂ  上面部
１１ｃ  背面部
１１Ａ  可動体
１２  駆動手段
１３  ガイド部
【図１】
2006090595.tif 000003
【図２】
2006090595.tif 000004
【図３】
2006090595.tif 000005
【図４】
2006090595.tif 000006